(57)【要約】【課題】外部からの影の写り込みを防止することで、アイリス画像品質の向上を可能とする。【解決手段】被写体であるアイリスに光を照射する照明部４と、照明部４からの光により照らされたアイリス像を撮影する撮像部３とともに、外部環境から被写体であるアイリスに入射する光を遮断する遮光部５とを備え、外部から入射する光を遮断する。【選択図】図１
2005237746.tif 000002
【特許請求の範囲】
【請求項１】
被写体であるアイリスに光を照射する照明部と、
外部環境から前記被写体であるアイリスに入射する光を遮断する遮光部と、
前記照明部からの光により照らされたアイリス像を撮影する撮像部とを備えたことを特徴とするアイリス撮影装置。
【請求項２】
前記遮光部は、展開及び収納自在に設けられることを特徴とする請求項１記載のアイリス撮影装置。
【請求項３】
被写体であるアイリスに光を照射する照明部と、
外部環境から前記被写体であるアイリスに入射する近赤外光を遮断し可視光を透過する遮光部と、
前記照明部からの光により照らされたアイリス像を撮影する撮像部とを備えたことを特徴とするアイリス撮影装置。
【請求項４】
前記撮像部は、近赤外光カメラであることを特徴とする請求項３記載のアイリス撮影装置。
【発明の詳細な説明】
【技術分野】
【０００１】
本発明は、人の眼球のアイリスを撮影するアイリス撮影装置に関するものである。
【背景技術】
【０００２】
人の眼球のアイリスは、その模様をコード化することにより、個人認識に利用することができる。その際、アイリスの模様の画像を撮影するのがアイリス撮影装置である。
【０００３】
図１１は、従来のアイリス撮影装置の一例を示す図である。
アイリスカメラ１１は、人の目の中にあるアイリスの模様を鮮明に写し出すのに十分な解像度を持っている。そして、その画像から個人認識が可能なコードを生成する。図示のカメラは、ハンドヘルド型のものであり、利用者が手に持って操作できる。
【０００４】
スイッチ１２は、操作時に押下することで、照明及び撮影動作を開始する。
撮像部１３は、ＣＣＤ等から成り、アイリスの画像をとらえる。
照明部１４は、撮影のために利用者のアイリスを照明する。
【０００５】
このようなアイリス撮影装置を使用して、利用者は、個人認識を受ける際、自分のアイリスの撮影を行う。撮影を開始するため、利用者は、スイッチ１２を押下し、撮像部１３に対して適当な距離、位置でアイリスが撮影できるように位置あわせをする。
【０００６】
スイッチ１２が押下されると、照明部１４が点灯し、撮像部１３が撮影動作を開始する。撮影されたアイリス画像は、図示しない処理部でコード化処理される。そして、予め登録されている正当な利用者のアイリス登録コードと比較される。その結果、双方のコードが一致した場合には、本人確認が認められる。
【０００７】
【特許文献１】特開２０００−２０７５３６号公報
【発明の開示】
【発明が解決しようとする課題】
【０００８】
しかしながら、上述した従来の技術には、次のような課題があった。すなわち、撮影環境によっては、周辺に存在する物体の影などが写り込み、アイリスの模様と重なり、正確なコード化を妨げた。このような現象は、具体的には、以下のようにして生じた。
【０００９】
図１２は、撮影時の写り込みの説明図である。
例えば、室内で認証を受けるため、利用者２０がアイリスカメラ１１で自分の目を撮影すると、昼間などは、窓から外の光が室内に入り込み、その光によって映し出される窓２１の影が利用者２０の目に映ってしまう。つまり、外部の強い光が角膜表面で鏡面反射して、画像に写り込む。
【００１０】
図１３は、アイリス画像への環境光の影響の説明図である。
図示のように、アイリス画像２２に対し、窓の影２１’が写り込む。また、室内の光により利用者の上まぶたが写り込み、上まぶたの影２３となってアイリス画像２２と重なる。
【００１１】
従って、アイリス画像２２の品質を個人認識に十分なものとすることができない場合がある。その結果として、個人認証において、本人確認が認められない場合すなわち認証失敗となる場合が増えるという問題があった。
【００１２】
ところで、日本人を対象としたアイリス撮影装置では、近赤外線領域の照明を使用している。これは、黒茶色の日本人の目は、アイリスの模様がはっきりせず、また、画像上で瞳孔とアイリス部のコントラストが出にくいからである。
【００１３】
しかし、アイリス撮影装置で可視光成分ではなく、近赤外成分を利用していても、周辺の照明によっては上述の場合と同様の影響がある。また、日光は近赤外成分も強い。このため、画像品質に与える影響が大きい。
【課題を解決するための手段】
【００１４】
本発明のアイリス撮影装置は、被写体であるアイリスに光を照射する照明部と、前記照明部からの光により照らされたアイリス像を撮影する撮像部とともに、外部環境から前記被写体であるアイリスに入射する光を遮断する遮光部を備えたことを最も主要な特徴とするものである。
【発明の効果】
【００１５】
本発明のアイリス撮影装置は、外部からの影の写り込みを防止することで、アイリス画像品質を向上できるという利点がある。
【発明を実施するための最良の形態】
【００１６】
外部からの入射光を遮断するという目的を、ハンドヘルド型のカメラで、実現した。
【実施例１】
【００１７】
図１は、本発明のアイリス撮影装置の実施例１の正面図である。また、図２は、本発明のアイリス撮影装置の実施例１の側面図である。
【００１８】
アイリスカメラ１は、人の目の中にあるアイリスの模様を鮮明に写し出すのに十分な解像度を持っている。そして、その画像から個人認識が可能なコードを生成する。図示のカメラは、ハンドヘルド型のものであり、利用者が手に持って操作できる。
【００１９】
スイッチ２は、操作時に押下することで、遮光部５の開閉、照明及び撮影動作を開始する。
撮像部３は、ＣＣＤ等から成り、アイリスの画像をとらえる。
照明部４は、撮影のために利用者のアイリスを照明する。
【００２０】
遮光部５は、撮影時に外部から入射する光を遮断する。
図３は、遮光部収納時の斜視図である。
図示のように、遮光部５を収納した状態では、アイリスカメラ１は、図１１の従来のアイリスカメラ１１と同様の外観となる。
【００２１】
図４は、遮光部展開時の斜視図である。
図示のように、遮光部５を展開すると、アイリスカメラ１は本発明に特有の効果を発揮する。
【００２２】
図５は、遮光部の構造の説明図である。
遮光部５は、例えば、図示のような構造とすることができる。すなわち、遮光部５は、５枚あり、各遮光部５は、アイリスカメラ１の本体より小径の円板状をなす。そして、周縁部の一カ所において軸５ａが設けられている。
【００２３】
この軸５ａは、アイリス１の所定箇所に回転自在に取り付けられる。そして、５枚の遮光部５の各軸５ａは、アイリスカメラ１の本体上部の円形部において、周方向等間隔を存して各所定箇所に取り付けられる。
【００２４】
また、各軸５ａには、小径の歯車５ｂが固着され、この小径の歯車５ｂは遮光部５とも固着される。そして、アイリスカメラ１の本体上部の円形部における中心部において、図示しない回転駆動手段の出力軸６ａに固着された大径の歯車６ｂに対し、各歯車５ｂが噛み合っている。
【００２５】
このようにして、遮光部５は、歯車５ｂ、５ａを介して図示しない回転駆動手段により所定角度の範囲で双方いずれの方向にも回転できるようにされ、図５(a)の収納された状態と、図５(b)の展開された状態とのいずれの状態にも遷移し得る。
【００２６】
このようなアイリス撮影装置を使用して、利用者は、個人認識を受ける際、自分のアイリスの撮影を行う。撮影を開始するため、利用者は、スイッチ２を押下し、撮像部３に対して適当な距離、位置でアイリスが撮影できるように位置あわせをする。
【００２７】
スイッチ２が押下されると、照明部４が点灯し、撮像部３が撮影動作を開始する。撮影されたアイリス画像は、図示しない処理部でコード化処理される。そして、予め登録されている正当な利用者のアイリス登録コードと比較される。その結果、双方のコードが一致した場合には、本人確認が認められる。
【００２８】
また、スイッチ２が押下されると、アイリスカメラ内部に格納されていた遮光部５が開く。そして、遮光部５が開くことで、図６に示すように、外部光の入射による影の写り込みを除去することができる。
【００２９】
一方、利用者がスイッチ２を離して操作を終了すると、照明部４及び撮像部３は、動作を停止し、遮光部５は閉じて、コンパクトな収納が可能な状態に戻る。
【００３０】
以上のように、実施例１によれば、遮光部５を設けたことにより、アイリスカメラ１の撮影動作中は外部環境光の影響を除去することができ、カメラの設置場所に依存した環境光の変化により本人確認の拒否が生じることを防止できる。また、遮光部５を展開及び収納自在に構成することにより、操作時以外の状態では、小型な形状となるアイリスカメラを提供できる。
【実施例２】
【００３１】
図７は、本発明のアイリス撮影装置の実施例２の正面図である。また、図８は、本発明のアイリス撮影装置の実施例２の側面図である。
【００３２】
図示のアイリスカメラ１’において、遮光部５’は、可視光成分を透過し、近赤外成分は遮断する近赤外カットフィルタで構成さてている。その他の部分の構成は、実施例１と同様であり、同一部分に同一符号を付け、重複説明を省略する。
【００３３】
装置の動作は、実施例１と同様であるが、実施例２では、遮光部５’が近赤外成分のみを除去し、可視光成分は透過する。このため、環境光の近赤外成分によるノイズ除去の効果がある。
【００３４】
更に、可視光成分は透過するため、実施例１の場合と違って利用者の散瞳すなわち瞳孔の拡大は低減される。そのため、撮影画像中のアイリス領域について、図１０に示すように、十分な面積を確保できる。その結果、図９に示すような散瞳を生じた状態での登録照合に比べて、認識性能を向上できる。
【００３５】
（変形例）
上述した各実施例では、ハンドヘルド型のアイリスカメラについて説明したが、本発明は、これに限らず、環境光の影響が常に存在する設置条件である場合や、小型かつ簡易の装置である場合には、据え置き型のカメラについても同様に適用できる。
【００３６】
また、上述した各実施例では、スイッチ２により動作開始する場合について説明したが、これに限らず、例えば、利用者の接近を感知する近接センサにより、当該センサの反応により動作開始する場合でもよい。この場合、利用者の操作に依存せず、利用者に気付かれずに本人確認ができる。
【図面の簡単な説明】
【００３７】
【図１】本発明のアイリス撮影装置の実施例１の正面図である。
【図２】本発明のアイリス撮影装置の実施例１の側面図である。
【図３】遮光部収納時の斜視図である。
【図４】遮光部展開時の斜視図である。
【図５】遮光部の構造の説明図である。
【図６】遮光の効果の説明図である。
【図７】本発明のアイリス撮影装置の実施例２の正面図である。
【図８】本発明のアイリス撮影装置の実施例２の側面図である。
【図９】遮光材によるアイリス画像の説明図である。
【図１０】近赤外カットフィルタによるアイリス画像の説明図である。
【図１１】従来のアイリス撮影装置の一例を示す図である。
【図１２】撮影時の写り込みの説明図である。
【図１３】アイリス画像への環境光の影響の説明図である。
【符号の説明】
【００３８】
１    アイリスカメラ
２    スイッチ
３    撮像部
４    照明部
５    遮光部
【図１】
2005237746.tif 000003
【図２】
2005237746.tif 000004
【図３】
2005237746.tif 000005
【図４】
2005237746.tif 000006
【図５】
2005237746.tif 000007
【図６】
2005237746.tif 000008
【図７】
2005237746.tif 000009
【図８】
2005237746.tif 000010
【図９】
2005237746.tif 000011
【図１０】
2005237746.tif 000012
【図１１】
2005237746.tif 000013
【図１２】
2005237746.tif 000014
【図１３】
2005237746.tif 000015